(57)【特許請求の範囲】
【請求項１】
下端にランプヘッドが取り付けられ、上端に開口が形成された光透過ランプホルダーと、
前記光透過ランプホルダーの上端に結合され、前記開口を封鎖させる光透過反射ケースであって、前記光透過ランプホルダーの内部に駆動器を配置するための収容室を区画するとともに前記ランプヘッドに対向する内表面に光透過性光反射フィルムが塗布された光透過反射ケースと、
前記収容室内に設けられ、前記光透過反射ケースに対向する上端面と前記ランプヘッドに対向する下端面とを含む放熱体と、
前記放熱体の上端面に設けられた基板と前記基板に設けられた少なくとも１つのＬＥＤとを有し、前記駆動器に電気的に接続されることにより、ＬＥＤが駆動され光が発射され、ＬＥＤからの光が前記光透過反射ケースの透射により上への投射光が形成され、前記光透過性光反射フィルムの反射により下への反射光が形成される発光モジュールと、を備える全射角高照度ＬＥＤバルブであって、
前記光透過ランプホルダーの上端に結合されることにより、前記発光モジュールとの間に前記光透過反射ケースが介在される光透過ハウジングをさらに備え、前記ＬＥＤからの光は、前記光透過反射ケース及び前記光透過ハウジングの透射により上への投射光が形成され、
前記光透過ランプホルダーの内表面と前記放熱体の周囲の間には空間が形成され、
前記下への反射光が前記空間を通じて前記光透過ランプホルダーを介して外部に投射され、
前記光透過反射ケースの中央は、前記ＬＥＤと近づく方向に窪む形状、又は、前記ＬＥＤと離れる方向に突出する形状とする、
全射角高照度ＬＥＤバルブ。」
【請求項２】
前記光透過ハウジングの中央部に、厚さが中心から周辺に向けて次第に減少する凸レンズ体が設けられていることを特徴とする請求項１に記載の全射角高照度ＬＥＤバルブ。
【請求項３】
前記光透過ハウジングの内表面に霧面構造が設けられ、前記光透過ハウジングの中央に厚さが中心から周辺に向けて次第に減少する凸レンズ体が設けられていることを特徴とする請求項１又は請求項２に記載の全射角高照度ＬＥＤバルブ。
【発明の詳細な説明】
【技術分野】
【０００１】
本発明は、バルブに関し、特に全射角高照度ＬＥＤバルブに関するものである。
【背景技術】
【０００２】
国際間のグリーンエネルギー政策の推進に伴い、各先進国は、白熱電球の市場からの退去期限を設定している。ＬＥＤバルブは、白熱電球に取って代わろうとしている。
【０００３】
従来、白熱電球の発光モジュールは３６０°の投射光であるが、現在、ＬＥＤ（ＳＭＤ、チップ）を発光モジュールとして製造されたバルブ２、３、４（図１〜３参照）は、いずれも単方向のみの投射光である。このような単方向投射光のＬＥＤバルブ２、３、４は、単に天井から床に向けて照射する灯具のみに使用されるため、立ちランプ５（図１９参照）、デスクランプ６（図２０参照）、壁ランプ７又はベッドサイドランプ（図２１参照）に使用されると、その投射光は、天井の方向へのみ（図４のＤ１参照）投射されるが、床方向への投射光（図４のＤ２参照）は、立ちランプ、デスクランプ、壁ランプ又はベッドサイドランプ等のランプカバーの斜面に照射される反射光のみにより照明され、照度が不足となる問題がある。従って、白熱電球が市場から退去された後、このような灯具は、ＨＣＦＬ、ＣＣＦＬ型の省エネバルブに取って代わられるようになっている。
【０００４】
しかしながら、ＨＣＦＬ、ＣＣＦＬ型の省エネバルブは、紫外線、電磁波及び輻射を有し、人体に危害を与えるため、身近に使うと、危害がもっと大きくなる。また、それは、水銀物質及びアルゴン、ネオン等の成分を有し、このうち、特に水銀は、最も人体の脳、腎臓、皮膚に危害を与え、土地に汚染を及ぼすと見られる。さらに、ＨＣＦＬ、ＣＣＦＬの灯体はガラス材質であり、割れやすいため、割れた際に水銀金属が逸散した場合、人体によって接触又は吸収されると、脳や腎臓に病変が発生するおそれがある。ＨＣＦＬ、ＣＣＦＬの廃棄物の毒性を分解するのにコストが掛かるため、環境保護の需要に適合できていない。また、ＨＣＦＬ、ＣＣＦＬ型のバルブは、蛍光灯のように電極を水銀ガスに衝撃させることにより放電させ、その生成された光ビームが非連続の光であるため、目の視覚が疲労しやすくなり、閲覧に不利になる。
【０００５】
従って、ＬＥＤバルブを例えば立ちランプ、デスクランプ、壁ランプ又はベッドサイドランプ等の使用に適用するとともに投射光の照射範囲を大きくすることは、ＬＥＤ業者が解決すべき極めて重要な課題となっており、環境保護、エネルギー節約のために必要な手段である。
【発明の概要】
【発明が解決しようとする課題】
【０００６】
そこで、本発明は、全射角高照度ＬＥＤバルブを提供することを目的とする。
【課題を解決するための手段】
【０００７】
上述した目的を達成するために、本発明に係る全射角高照度ＬＥＤバルブは、光透過ランプホルダーと、光透過反射ケースと、放熱体と、発光モジュールとを備える。光透過ランプホルダーは、下端にランプヘッドが取り付けられ、上端に開口が形成されている。光透過反射ケースは、光透過ランプホルダーの上端に結合され、前記開口を封鎖させることにより光透過ランプホルダーと光透過反射ケースとの間に収容室が区画され、収容室の内部に駆動器が取り付けられ、ランプヘッドに対向する内表面を有し、内表面に光透過性光反射フィルムが塗布されている。放熱体は、収容室内に設けられ、光透過反射ケースに対向する上端面とランプヘッドに対向する下端面とを備える。発光モジュールは、放熱体の上端面に設けられた基板と基板に設けられた少なくとも１つのＬＥＤとを有し、駆動器に電気的に接続されることにより、ＬＥＤが駆動され光が発射される。ＬＥＤからの光は、光透過反射ケースの透射により上への投射光が形成され、光透過性光反射フィルムの反射により下への反射光が形成され、上、下への反射光が光透過ランプホルダー及び光透過反射ケースに投射され形成される反射ハレーションは、側面投射ハレーションとして構成され、全射角の発光が形成される。
【発明の効果】
【０００８】
本発明に係る全射角高照度ＬＥＤバルブによれば、立ちランプ、デスクランプ、壁ランプ又はベッドサイドランプ等の灯具に使用されるＬＥＤバルブの投射光は全射角に形成されることにより、室内空間に必要な照明効果及びユーザの閲覧に必要な照明効果を奏することができる。
【図面の簡単な説明】
【０００９】
【図１】従来の第１種のバルブの模式図を示す。
【図２】従来の第２種のバルブの模式図を示す。
【図３】従来の第３種のバルブの模式図を示す。
【図４】従来のバルブの投射光の模式図を示す。
【図５】本発明に係るバルブの第１の実施例の断面図を示す。
【図６】図５に係るバルブの投射光の模式図を示す。
【図７】本発明に係るバルブの第２の実施例の断面図を示す。
【図８】（ａ）は、本発明に係るバルブの第３の実施例の断面図を示す。（b）は、本発明に係るバルブの第４の実施例の断面図を示す。
【図９】（ａ）は、本発明に係るバルブの第５の実施例の断面図を示す。（b）は、本発明に係るバルブの第６の実施例の断面図を示す。
【図１０】（ａ）は、本発明に係るバルブの第７の実施例の断面図を示す。（b）は、本発明に係るバルブの第８の実施例の断面図を示す。
【図１１】本発明に係るバルブの第９の実施例の断面図を示す。
【図１２】本発明に係るバルブの第１０の実施例の断面図を示す。
【図１３】本発明に係るバルブの第１１の実施例の断面図を示す。
【図１４】本発明に係るバルブの第１２の実施例の断面図を示す。
【図１５】本発明に係るバルブの第１３の実施例の断面図を示す。
【図１６】（ａ）は、本発明に係るバルブの第１４の実施例の断面図を示す。（b）は、本発明に係るバルブの第１５の実施例の断面図を示す。
【図１７】（ａ）は、本発明に係るバルブの第１６の実施例の断面図を示す。（b）は、本発明に係るバルブの第１７の実施例の断面図を示す。
【図１８】（ａ）は、本発明に係るバルブの第１８の実施例の断面図を示す。（b）は、本発明に係るバルブの第１９の実施例の断面図を示す。
【図１９】本発明に係るバルブが立ちランプに使用される模式図を示す。
【図２０】本発明に係るバルブがデスクランプに使用される模式図を示す。
【図２１】本発明に係るバルブが壁ランプに使用される模式図を示す。
【図２２】本発明に係るバルブが立ちランプに使用される投射光の模式図を示す。
【発明を実施するための形態】
【００１０】
図５は、本発明に係る第１の実施例の全射角高照度ＬＥＤバルブ１は、光透過ランプホルダー１１と、放熱体１３と、発光モジュール１４と、光透過反射ケース１７と、を備える。光透過ランプホルダー１１は、下端１１１に白熱電球のランプヘッド１０が取り付けられる。光透過ランプホルダー１１は、容器型であり、上端１１２に開口１１３が形成されている。
【００１１】
光透過反射ケース１７は、光透過ランプホルダー１１の上端１１２に結合され、開口１１３を封鎖させることにより光透過ランプホルダー１１と光透過反射ケース１７との間に密閉収容室１５が区画され、収容室１５の内部に駆動器１６が取り付けられる。駆動器１６は、ランプヘッド１０の上方に設けられ、頂面に駆動器回路板１６１が設けられている。光透過反射ケース１７は、外端面１７１と発光モジュール１４に対向する内端面１７２とを備え、内端面１７２に光透過性光反射フィルム１７３が塗布されている。光透過反射ケース１７の中央部１７４は凹み状態に形成され、光透過反射ケース１７の外リング部１７５は平面に形成され、中央部１７４と外リング部１７５との交差箇所には弧角１７６が形成されている。
【００１２】
放熱体１３は、収容室１５内に設けられるとともにホルダープレート１３０に搭載され、放熱体１３は、光透過反射ケース１７に対向する上端面１３１とランプヘッド１０に対向する下端面１３２とを備える。発光モジュール１４は、放熱体の上端面１３１に設けられた基板１４１と基板１４１に設けられた複数のＬＥＤ（ＳＭＤ／チップ）とを有している。発光モジュール１４からの熱は、放熱体１３を介して外部に伝達される。発光モジュール１４は、駆動器１６に電気的に接続されることにより、ＬＥＤ１４２が駆動され、光透過反射ケース１７に光が投射される。
【００１３】
図６は、バルブ１の光投射の模式図を示す。ＬＥＤ１４２からの光は、光透過反射ケース１７の透射により上への投射光（Ａ）が形成され、光透過反射ケース１７の光反射フィルム１７３の反射により下への反射光（Ｂ）が形成され、上への投射光（Ａ）及び下への反射光（Ｂ）が光透過反射ケース１７及び光透過ランプホルダー１１に投射され形成される反射ハレーションは、上への投射光（Ａ）と下への反射光（Ｂ）との間の側面投射ハレーションとして構成され、全射角の発光が形成される。さらに、光透過反射ケース１７の凹み中央部１７４により光反射角を拡大することができるため、全射角高照度ＬＥＤバルブ１は、広角光透過の効果を奏することができる。
【００１４】
図７は、本発明に係るバルブ１の第２の実施例を示し、第１の実施例との相違点は、光透過反射ケース１７が平板状態に形成され、即ち光透過反射ケース１７の中央部には凹みが形成されていない点である。さらに、光透過反射ケース１７の外端面１７１には、霧面の処理（例えばサンドブラスト）、霧面紙の貼付、レーザ加工又は射出成形により形成された霧面構造１８が設けられている。霧面構造１８は、投射絞り外の照度段差による可視残光を除去するとともに光照射面積を拡大することができ、光を均一化する効果を奏することができる。
【００１５】
図８（a）及び図８（b）は、本発明に係るバルブ１の第３及び第４の実施例を示し、図８（a）において、光透過反射ケース１７の外リング部１７５には下へ傾斜する斜面が、中央部１７４には平面がそれぞれ形成され、中央部１７４と外リング部１７５との交差箇所には弧角１７６が形成され、図８（b）において、光透過反射ケース１７の外リング部１７５には上へ傾斜する斜面が、中央部１７４には平面がそれぞれ形成され、中央部１７４と外リング部１７５との交差箇所には弧角１７６が形成されている。
【００１６】
図９（a）及び図９（b）は、本発明に係るバルブ１の第５及び第６の実施例を示し、図９（a）における光透過反射ケース１７にはＶ形凹みが、図９（b）における光透過反射ケース１７には逆Ｖ形突出がそれぞれ形成されている。さらに、光透過反射ケース１７の中央には、弧角１７６が形成されている。
【００１７】
図１０（a）及び図１０（b）は、本発明に係るバルブ１の第７及び第８の実施例を示し、図１０（a）における光透過反射ケース１７の中央部１７４には弧径凹面が、図１０（b）における光透過反射ケース１７の中央部１７４には弧形凸面がそれぞれ形成されている。
【００１８】
図８〜１０の実施例は、光透過反射ケース１７の中央部を凹み又は突出状に形成させることにより異なる反射角度を得ることを示す。従って、本発明に係るバルブ１は、様々な需要に適用することができ、凹みの光透過反射ケース１７により光反射角を拡大する一方、突出の光透過反射ケース１７により集光効果を高めることができる。
【００１９】
図１１〜１４は、本発明に係る複数の変化実施例のバルブ１を示し、図１１における光透過反射ケース１７の中央部１７４には突出が形成されることにより、発光モジュール１４から投射される光は、広角集光の強光に形成される。図１２、１３の実施例は、光透過反射ケース１７の中央部１７４が凸レンズ体であることを示し、この凸レンズ体は、上への投射光の輝度を高めるために、厚さが中心から周辺に向けて次第に減少するように構成されている。図１４の実施例は、光透過反射ケース１７が半円球状形となっていることを示す。
【００２０】
図１５は、本発明に係る他の好ましい実施例のバルブ１を示し、バルブ１は、光透過ランプホルダー１１の上端１１２に結合されることにより発光モジュール１４との間に介在される光透過ハウジング１２をさらに備える。ＬＥＤ１４２からの光は、光透過反射ケース１７及び光透過ハウジング１２の透射により上への投射光が形成されるため、上への投射光の輝度はさらに向上する。
【００２１】
図１６〜１８は、本発明に係る光透過反射ケース１７と光透過ハウジング１２とを備えるバルブ１の他の複数の実施例を示し、図１６（a）における光透過反射ケース１７の中央部１７４に凹みが形成されることにより、発光モジュール１４からの光は広角の照射が形成され、図１６（b）における光透過反射ケース１７の中央部１７４に突出が形成されるとともに光透過ハウジング１２の中央部に凸レンズ体１２１が構成されることにより、垂直方向に投射される光が透射され、強光の効果を奏することができる。図１７（a）における光透過反射ケース１７にはＶ形凹みが、図１７（b）における光透過反射ケース１７には逆Ｖ形突出がそれぞれ形成され、図１８（a）における光透過反射ケース１７の中央部１７４には弧形凹みが、図１８（b）における光透過反射ケース１７の中央部１７４には弧形突出がそれぞれ形成され、さらに、光透過ハウジング１２の内表面には霧面構造１８が設けられている。
【００２２】
本発明に係る各実施例のバルブ１は、図１９に示す立ちランプ５、図２０に示すデスクランプ６、図２１に示す壁ランプ７又はベッドサイドランプに適用することができる。図２２は、本発明に係るバルブ１が立ちランプ５に適用される光投射模式図を示し、本発明に係るバルブ１が全射角の照射効果を有することを示す。
【００２３】
以上のように、本発明では、下端にランプヘッドが取り付けられ、上端に開口が形成された光透過ランプホルダーと、前記光透過ランプホルダーの上端に結合され、前記開口を封鎖させることにより前記光透過ランプホルダーと前記光透過反射ケースとの間に収容室が区画され、前記収容室の内部に駆動器が取り付けられ、前記ランプヘッドに対向する内表面を有し、前記内表面に光透過性光反射フィルムが塗布された光透過反射ケースと、前記収容室内に設けられ、前記光透過反射ケースに対向する上端面と前記ランプヘッドに対向する下端面とを含む放熱体と、前記放熱体の上端面に設けられた基板と前記基板に設けられた少なくとも１つのＬＥＤとを有し、前記駆動器に電気的に接続されることにより、ＬＥＤが駆動され光が発射され、ＬＥＤからの光が前記光透過反射ケースの透射により上への投射光が形成され、前記光透過性光反射フィルムの反射により下への反射光が形成される発光モジュールと、を備えることを特徴とする全射角高照度ＬＥＤバルブとするものである。
【００２４】
また、前記光透過ランプホルダーの上端に結合されることにより、前記発光モジュールとの間に前記光透過反射ケースが介在される光透過ハウジングをされに備え、前記ＬＥＤからの光は、前記光透過反射ケース及び前記光透過ハウジングの透射により上への投射光が形成されるものとする。
【００２５】
また、前記光透過反射ケースの中央は、凹み又は突出の状態に形成されるものとする。
【００２６】
また、前記光透過反射ケースの中央部に、厚さが中心から周辺に向けて次第に減少する凸レンズ体が設けられているものとする。
【００２７】
また、前記光透過反射ケースの外端面に霧面構造が設けられ、前記光透過ハウジングのの中央に厚さが中心から周辺に向けて次第に減少する凸レンズ体が設けられているを備えるものとする。
【産業上の利用可能性】
【００２８】
本発明に係る全射角高照度ＬＥＤバルブによれば、立ちランプ、デスクランプ、壁ランプ又はベッドサイドランプ等の灯具に使用されるＬＥＤバルブの投射光は全射角に形成されることにより、室内空間に必要な照明効果及びユーザの閲覧に必要な照明効果を奏することができる。
【符号の説明】
【００２９】
１  バルブ
１０  ランプヘッド
１１  光透過ランプホルダー
１１１  下端
１１２  上端
１１３  開口
１２  光透過ハウジング
１２１  凸レンズ体
１２２  光透過性光反射フィルム
１３  放熱体
１３０  ホルダープレート
１３１  上端面
１３２  下端面
１４  発光モジュール
１４１  基板
１４２  ＬＥＤ
１５  収容室
１６  駆動器
１６１  回路板
１７  光透過反射ケース
１７  外端面
１７２  内端面
１７３  光透過性光反射フィルム
１７４  中央部
１７５  外リング部
１７６  弧角
１８  霧面構造
【図１】
0005335031.tif 000002
【図２】
0005335031.tif 000003
【図３】
0005335031.tif 000004
【図４】
0005335031.tif 000005
【図５】
0005335031.tif 000006
【図６】
0005335031.tif 000007
【図７】
0005335031.tif 000008
【図８】
0005335031.tif 000009
【図９】
0005335031.tif 000010
【図１０】
0005335031.tif 000011
【図１１】
0005335031.tif 000012
【図１２】
0005335031.tif 000013
【図１３】
0005335031.tif 000014
【図１４】
0005335031.tif 000015
【図１５】
0005335031.tif 000016
【図１６】
0005335031.tif 000017
【図１７】
0005335031.tif 000018
【図１８】
0005335031.tif 000019
【図１９】
0005335031.tif 000020
【図２０】
0005335031.tif 000021
【図２１】
0005335031.tif 000022
【図２２】
0005335031.tif 000023